(57)【要約】【課題】本施工であるＩ／Ｏケーブルが接続された状態でシミュレータ装置などを容易に接続でき、かつ、試験運用が終わった後は、簡単に通常の姿に復元できる配線接続装置を提供する。【解決手段】一方の配線群１３が接続されるベースユニット１５と、他方の配線群１４が接続される接続ユニット１６との間に、これら双方に差し込み式に接続可能なアダプタユニット２２を着脱可能に設けたので、このアダプタユニット２２を用いてシミュレータ等と容易に接続でき、しかも使用後は簡単に通常の姿に復元でき、本施工である外線Ｉ／Ｏケーブル接続状態における試験運用を容易に行うことができる。【選択図】図３
2008059857.tif 000002
【特許請求の範囲】
【請求項１】
一方の配線群が接続される複数の端子からなる第１の端子列、及びこの第１の端子列の各端子とそれぞれ導電接続した複数の接触子からなる差込式の第１の接触子列を備えたベースユニットと、
他方の配線群が接続される複数の端子からなる第２の端子列、及びこの第２の端子列の各端子とそれぞれ導電接続した複数の接触子が配列され前記第１の接触子列に対して差込式により導電接続可能な第２の接触子列を備えた接続ユニットと、
前記第１の接触子列に対して差込式により導電接続可能な複数の接触子からなる第３の接触子列、及び前記第２の接触子列に対して差込式により導電接続可能で、かつ前記第３の接触子列を構成する複数の接触子とそれぞれ導体により接続されたな複数の接触子からなる第４の接触子列、これら第３、第４の接触子列の各接触子間を接続する前記導体からそれぞれ分岐された複数の分岐導体が接続される接続部を有するアダプタユニットと、
を備えたことを特徴とする配線接続装置。
【請求項２】
アダプタユニットは信号発生ユニットを有し、この信号発生ユニットはアダプタユニットに設けられた接続部と導電接続していることを特徴とする請求項１に記載の配線接続装置。
【請求項３】
アダプタユニットにおける第３、第４の接触子列の各接触子間を接続する導体、及びこの導体から分岐されて接続部に到る分岐導体に設けられ、前記第３の接触子列と前記第４の接触子列または前記接続部との間を相互に切換える切換手段を設けたことを特徴とする請求項１または請求項２に記載の配線接続装置。
【発明の詳細な説明】
【技術分野】
【０００１】
本発明は、一方の配線群と他方の配線群とを接続すると共に、これらの接続を維持したまま、シミュレータなどの他の回線にも接続可能な配線接続装置に関する。
【背景技術】
【０００２】
一般に、変電所等の現場設備では、各種監視盤や計装盤が、それらに付随する機器側との間で入出力信号のやりとりを行っている。この信号のやりとりは、外部の機器側に接続されたＩ／Ｏケーブルによって行っている。この場合、盤側には信号線取り合い用の端子台を設け、盤内配線と外部機器に繋がるＩ／Ｏケーブルとを相互に接続している。
【０００３】
ところで、変電所などに設備を納入する際は、納入される各機器、各盤にについて試験運用を行い、最終的に総合運転における動作確認まで実施する。しかし、実際には各設備の納入時期の違いや、調整スケジュールの違い等によって、個々の機器の動作確認の足並みが揃わないことは日常的に生じる。この場合、それぞれの機器、装置が単独で試験確認が行えるようシミュレータ装置等を利用する場合がある。
【０００４】
変電所などの現場に設置される監視盤や計装盤は、ローカル機器や遠方設備とのインタフェースにＩ／Ｏケーブルを使用している。このような盤は、Ｉ／Ｏケーブルに信号を出すために架下端子台を持ち、盤内側の配線を行っている。このような盤を試験運用する場合、シミュレータを用い、これを架下端子台を介して盤内配線に接続して試験を行なっている。
【０００５】
従来から存在するシミュレータ装置は、大きく分けてローカル機器を模擬したものと遠方設備を模擬したものにわかれる。それぞれのシミュレータは、実際に使用する盤の架下端子台に直接つなぎ込む方式が多く、最近では架下端子台の端子部分だけが外れて、シミュレータ接続用ケーブルの接続を想定しているものも出てきている（例えば、特許文献１参照）。
【特許文献１】特開２００４−２４７１１４号公報
【発明の開示】
【発明が解決しようとする課題】
【０００６】
ここで、各盤の工場内制作中における動作確認試験時においては、実機対抗試験は仮のケーブルや前述したシミュレータが相手となるため問題はない。しかし、実際の客先設置場所に据え付けた場合は、本施工である外線Ｉ／Ｏケーブルとシミュレータケーブルの共存が有り得るため、配線のつなぎかえや切換えが円滑に行える方法が要求されていた。現場設備である監視盤や計装盤においてそれらを試験運用・運転する場合、シミュレータケーブルの接続やとりはずしが面倒で、困難な場合も多かった。
【０００７】
本発明の目的は、本施工である外線Ｉ／Ｏケーブルが接続された状態でシミュレータ装置などを容易に接続でき、かつ、試験運用が終わった後は、簡単に通常の姿に復元できる配線接続装置を提供することにある。
【課題を解決するための手段】
【０００８】
本発明の配線接続装置は、一方の配線群が接続される複数の端子からなる第１の端子列、及びこの第１の端子列の各端子とそれぞれ導電接続した複数の接触子からなる差込式の第１の接触子列を備えたベースユニットと、他方の配線群が接続される複数の端子からなる第２の端子列、及びこの第２の端子列の各端子とそれぞれ導電接続した複数の接触子が配列され前記第１の接触子列に対して差込式により導電接続可能な第２の接触子列を備えた接続ユニットと、前記第１の接触子列に対して差込式により導電接続可能な複数の接触子からなる第３の接触子列、及び前記第２の接触子列に対して差込式により導電接続可能で、かつ前記第３の接触子列を構成する複数の接触子とそれぞれ導体により接続されたな複数の接触子からなる第４の接触子列、これら第３、第４の接触子列の各接触子間を接続する前記導体からそれぞれ分岐された複数の分岐導体が接続される接続部を有するアダプタユニットとを備えたことを特徴とする。
【０００９】
また、本発明では、アダプタユニットは信号発生ユニットを有し、この信号発生ユニットはアダプタユニットに設けられた接続部と導電接続している構成でもよい。
【００１０】
さらに、本発明では、アダプタユニットにおける第３、第４の接触子列の各接触子間を接続する導体、及びこの導体から分岐されて接続部に到る分岐導体に設けられ、前記第３の接触子列と前記第４の接触子列または前記接続部との間を相互に切換える切換手段を設けてもよい。
【発明の効果】
【００１１】
本発明によれば、一方の配線群が接続されるベースユニットと、他方の配線群が接続される接続ユニットとの間に、これら双方に差し込み式に接続可能なアダプタユニットを着脱可能に設けたので、このアダプタユニットを用いてシミュレータ等と容易に接続でき、しかも使用後は簡単に通常の姿に復元でき、本施工である外線Ｉ／Ｏケーブルの接続状態における試験運用を容易に行うことができる。
【発明を実施するための最良の形態】
【００１２】
以下、本発明にかかる配線接続装置の一実施の形態について、図面を用いて詳細に説明する。
【００１３】
図１は、現場施設に設置される監視盤、計装盤などの盤１１内の概略構成を示しており、その盤１１内下部には、配線接続装置１２がセットされている。この配線接続装置１２は、盤１１内において、図示しない制御用のコンピュータや計測機器などと接続される一方の配線群（以下、盤内配線として説明する）１３と、図示しない外部機器などに接続される他方の配線群（以下、外線Ｉ／Ｏケーブルとして説明する）１４とを相互に接続するものである。
【００１４】
この配線接続装置１２は、図２で示すように、ベースユニット１５と接続ユニット１６とで構成される。ベースユニット１５は、絶縁材からなる平板状の機材上に、複数の端子からなる端子列（以下、第１の端子列と呼ぶ）１７と、差込式の接触子列（以下、第１の接触子列と呼ぶ）１８とを配置して構成される。この第１の接触子列１８は、第１の端子列１７を構成する複数の端子に対応して、複数の接触子（例えば、雌型接触子）を配列したもので、これら複数の雌型接触子は、第１の端子列１７を構成する複数の端子と、図５で示すように、内部導体２１によりそれぞれ導電接続している。また、この第１の端子列１７を構成する複数の端子には、盤内配線１３が接続される。
【００１５】
接続ユニット１６は、絶縁材からなる細長い機材上に、複数の端子からなる端子列（以下、第２の端子列と呼ぶ）１９と、差込式の接触子列（以下、第２の接触子列と呼ぶ）２０とを配置して構成される。この第２の接触子列２０は、第２の端子列１９を構成する複数の端子に対応して、複数の接触子（例えば、雄型接触子）を配列したもので、これら複数の雄型接触子は、第２の端子列１９を構成する複数の端子と、図示しない内部導体によりそれぞれ導電接続している。また、この第２の端子列１９を構成する複数の端子には、外線Ｉ／Ｏケーブル１４が接続される。
【００１６】
ベースユニット１５に設けられた第１の接触子列１８には、接続ユニット１６に設けられた第２の接触子列２０が、それらの雄雌関係により、差込式で、着脱可能に導電接続できる。このように、ベースユニット１５に設けられた第１の接触子列１８に、接続ユニット１６に設けられた第２の接触子列２０を差込接続することにより、図１で示したように、盤内配線１３と外線Ｉ／Ｏケーブル１４とが互いに接続された通常の使用状態となる。
【００１７】
図３は、上記ベースユニット１５及び接続ユニット１６に対するアダプタユニット２２との関係を示している。このアダプタユニット２２は、図１で示した通常の使用状態に対し、図示しないシミュレータなどを、外線Ｉ／Ｏケーブル１４が接続されたままの状態で、盤内配線１３に接続した試験状態を実現するためのものである。
【００１８】
このアダプタユニット２２は、絶縁材による平板状の機材の一面に、差込式の接触子列（以下、第３の接触子列と呼ぶ）２３が設けられている。また、他面にも差込式の接触子列（以下、第４の接触子列と呼ぶ）２４と、図示しないシミュレータなどが接続される接続部２５とがそれぞれ設けられている。
【００１９】
第３の接触子列２３は、ベースユニット１５に設けられた第１の接触子列１８に、差込式により導電接続可能なものである。第１の接触子列１８が複数の雌型接触子を配列した構成であることから、第３の接触子列２３は、複数の雄型接触子を配列して構成される。また、第４の接触子列２４は、接続ユニット１６に設けられた第２の接触子列と、差込式により導電接続可能なものである。第２の接触子列２０が複数の雄型接触子を配列した構成であることから、第４の接触子列２４は、複数の雌型接触子を配列して構成される。
【００２０】
これら第３の接触子列２３を構成する複数の接触子と第４の接触子列２４を構成する複数の接触子とは、図５（ｃ）及び（ｄ）で示すように、内部導体２６により相互に接続されている。また、前記接続部２５には、図５（ｃ）及び（ｄ）で示すように、これら第３の接触子列２３、第４の接触子列２４の各接触子間を接続する内部導体２６からそれぞれ分岐された複数の分岐導体２７が接続される。この接続部２５には、図４及び図５（ｄ）で示すように、図示しないシミュレータ用のコネクトケーブル２８が接続される。
【００２１】
このように構成されたアダプタユニット２２の第３の接触子列２３を、ベースユニット１５の第１の接触子列１８に対して差込式により導電接続し、第４の接触子列２４に対して、接続ユニット１６の第２の接触子列２０を差込式により導電接続し、さらに、接続部２５に、シミュレータ用のアダプタケーブル２８を接続することにより、図４及び図５（ｄ）で示す、外線Ｉ／Ｏケーブル１４が接続された試験状態が実現される。
【００２２】
上記構成において、現場施設に設置される監視盤、計装盤などの盤１１の外線ケーブル処理用架下端子台として、配線接続装置１２を使用し、端子部が取り外し可能な構成とした。端子部が取り外し可能とは、盤内配線１３側の部分をベースユニット１５とし、外線Ｉ／Ｏケーフル１４の接続側を接続ユニット１６として、差込式により分離可能に導電接続に構成し、着脱可能な端子台ユニットとして構成したことである。
【００２３】
通常の使用状態では、接続ユニット１６をベースユニット１５に接続した状態で使用し、盤内配線１３及び外線Ｉ／Ｏケーブル１４ともに、対応する端子列１７，１９に通常通り接続を行う。このようにして接続された図１で示す状態は、システム完成後の最終的な状態である。
【００２４】
これとは別に、試験用として、上記外線Ｉ／Ｏケーブル１４用の架下端子台として機能する接続ユニット１６と互換性のあるアダプタユニット２２を用いる。このアダプタユニット２２は、図３で示すように回路を２分割する機能を有し、架下端子の機能とコネクタ接続の機能を果たせる構成として、図５で示すように、必要に応じて使い分ける。
【００２５】
このアダプタユニット２２を用いることにより、図４で示したように、外線Ｉ／Ｏケーブル１４を接続した状態のまま、試験用として、例えば、シミュレータ用コネクタケーブル２８を接続できる。この結果、例えば、新旧設備を切換えるような工事の場合、時間を区切って旧設備を使用しながらシミュレータによる模擬運転と試験を実施することが可能である。
【００２６】
このように、外線Ｉ／Ｏケーブル１４を接続した状態のまま、シミュレータによる模擬運転や試験を同時に進める事が可能である他、簡単な操作で、アダプタユニット２２を取り外す事によって元の通常状態に復元する事が可能になる。
【００２７】
なお、シミュレータによる模擬運転や試験を同時に進めるだけでなく、システム稼動後の通常状態において、アナライザー機器を接続しておく事で、いろいろな面で、システムの故障予測等の診断機能に応用が可能である。
【００２８】
上記実施の形態では、アダプタユニット２２は接続部２５を有し、この接続部２５により、外部に設けられたシミュレータ等と接続するように構成したが、アダプタユニット２２そのものに模擬信号を自動発生させる機能を持たせ、外部シミュレータ等と接続をしないで、模擬信号の入出力を行えるようにしてもよい。
【００２９】
すなわち、図６で示すように、アダプタユニット２２は信号発生ユニット３０を有し、この信号発生ユニット３０はアダプタユニット２２に設けられた接続部２５と導電接続している。模擬信号を発生させる信号発生ユニット３０としてはＣＰＵを用い、ソフトウエアにより模擬信号を発生させるようにすればよい。この他、リレーシーケンス回路等を用いてもよい。
【００３０】
また、図７で示すように、アダプタユニット２２内の２分割回路に切換機能を設け、実運用設備を接続しながらも、シミュレーション試験の際の誤信号や誤出力等を完全に抑えこむように構成してもよいすなわち、アダプタユニット２２における第３の接触子列２３、第４の接触子列２４の各接触子間を接続する導体２６、及びこの導体２６から分岐されて接続部２５に到る分岐導体２７に切換手段３１を設け、第３の接触子列２３と第４の接触子列２４または接続部２５との間を相互に切換えてもよい。
【００３１】
このように、盤内配線１３などの一方の配線群が接続されるベースユニット１５と、外線Ｉ／Ｏケーブル１４などの他方の配線群が接続される接続ユニット１６との間に、これら双方に差し込み式に接続可能なアダプタユニット２２を着脱可能に設けたので、このアダプタユニット２２を用いてシミュレータ等と容易に接続でき、しかも使用後は簡単に通常の姿に復元できる。したがって、本施工である外線Ｉ／Ｏケーブル１４の接続状態における試験運用も容易に行うことができる。
【図面の簡単な説明】
【００３２】
【図１】本発明にかかる配線接続装置の一実施の形態を説明する構成図である。
【図２】同上一実施の形態におけるベースユニットと接続ユニットとの分離状態を示す構成図である。
【図３】同上一実施の形態におけるベースユニットとアダプタユニットと接続ユニットとの分離状態を示す構成図である。
【図４】同上一実施の形態におけるベースユニットとアダプタユニットと接続ユニットとの接続状態を示す構成図である。
【図５】同上一実施の形態におけるベースユニットとアダプタユニットと接続ユニットとの接続関係を説明する模式図である。
【図６】本発明の他の実施の形態を示す模式図である。
【図７】本発明のさらに他の実施の形態を示す模式図である。
【符号の説明】
【００３３】
１１    盤
１２    配線接続装置
１３    一方の配線群（例：盤内配線）
１４    他方の配線群（例：外部Ｉ／Ｏケーブル）
１５    ベースユニット
１６    接続ユニット
１７    第１の端子列
１８    第１の接触子列
１９    第２の端子列
２０    第２の接触子列
２１，２６，２７    導体
２２    アダプタユニット
２３    第３の接触子列
２４    第４の接触子列
２５    接続部
３０    信号発生ユニット
３１    切換手段
【図１】
2008059857.tif 000003
【図２】
2008059857.tif 000004
【図３】
2008059857.tif 000005
【図４】
2008059857.tif 000006
【図５】
2008059857.tif 000007
【図６】
2008059857.tif 000008
【図７】
2008059857.tif 000009